(57)【特許請求の範囲】
【請求項１】
ホウレンソウの栽培に利用されるネット状資材であって、４００〜５００ｎｍの波長の青色光を選択的に透過し、４００〜７００ｎｍの波長の光量子束密度を１００μｍｏｌｍ−２ｓ−１としたときの、前記青色光の光量子束透過量が３０〜９０μｍｏｌｍ−２ｓ−１であり、且つ、外張り被覆材の上に被せて使用されることを特徴とするネット状資材。
【請求項２】
経糸と緯糸を編織することにより得られる編織体、もしくは割繊維ウェブを積層させて得られる割繊維ウェブ積層体により形成されている、請求項１に記載のネット状資材。
【請求項３】
ラッセル編により形成されている、請求項１に記載のネット状資材。
【請求項４】
４００〜５００ｎｍの波長の青色光を選択的に透過し、４００〜７００ｎｍの波長の光量子束密度を１００μｍｏｌｍ−２ｓ−１としたときの、前記青色光の光量子束透過量が３０〜９０μｍｏｌｍ−２ｓ−１であるネット状資材を、外張り被覆材の上に被せ、該外張り被覆材の内部でホウレンソウを栽培することを特徴とする、ホウレンソウの栽培方法。
【発明の詳細な説明】
【技術分野】
【０００１】
本発明は、ネット状資材および該ネット状資材を用いたホウレンソウの栽培方法に関し、より詳細には、ホウレンソウの生育不良を有効に防止し、且つ、ホウレンソウ中の栄養分を増加させると同時に硝酸濃度を低下させる、ホウレンソウ栽培用のネット状資材および該ネット状資材を用いたホウレンソウの栽培方法に関する。
【背景技術】
【０００２】
近年、多種多様な野菜が市場に流通しているが、なかでもホウレンソウは、ビタミンＡ（β−カロテン）、ビタミンＣ（アスコルビン酸）、ミネラル（カルシウム、鉄）といった栄養分が豊富な緑黄色野菜であり、また、日本の広い地域で一年を通じて栽培できることから、特に重要な野菜である。ホウレンソウには、より多くの栄養分を含むことが消費者によって強く求められている。また、硝酸を多く含むホウレンソウは商品価値が下がるという事情、および、ホウレンソウは、高温で日射量の多い環境下で徒長や抽苔といった生育不良を起こしやすいという事情に鑑み、生産者からは、硝酸量が抑制されたホウレンソウの栽培技術や、徒長や抽苔を防ぐことができるホウレンソウの栽培技術の確立が求められている。
【０００３】
徒長・抽苔防止の要求に応えるため、特許文献１では、下記式；
Ａ＝Ｒ／ＦＲ
（式中、Ｒは標準光源Ｄ６５を基準とする６００〜７００ｎｍの赤色光の光量
子束透過量であり、ＦＲは標準光源Ｄ６５を基準とする７００〜８００ｎｍの
遠赤色光の光量子束透過量である。）
で表される透過光のＡ値が０．９以下である通気性を有する光選択透過性被覆材料が開示されている。特許文献１の被覆材料によれば、青色光を積極的に透過させることで、ホウレンソウ等の栽培作物の収量を増加させたり、抽苔を抑制することができるとされている。
【先行技術文献】
【特許文献】
【０００４】
【特許文献１】特開２００１−２５８４０３号公報
【発明の概要】
【発明が解決しようとする課題】
【０００５】
しかしながら、特許文献１の被覆材料では、生育不良を抑制することはできるが、栄養分を豊富にすることおよび硝酸濃度を低下させることについては実現できていなかった。
【０００６】
本発明の目的は、ホウレンソウの生育不良を有効に防止するだけでなく、ホウレンソウ中の栄養分を増加させ、且つ、硝酸濃度を低下させることができる、ホウレンソウ栽培用のネット状資材を提供することである。
【課題を解決するための手段】
【０００７】
本発明によれば、ホウレンソウの栽培に利用されるネット状資材であって、４００〜５００ｎｍの波長の青色光を選択的に透過し、且つ、外張り被覆材の上に被せて使用されることを特徴とするネット状資材が提供される。
【０００８】
本発明のネット状資材においては、
（１）経糸と緯糸を編織することにより得られる編織体、もしくは割繊維ウェブを積層させて得られる割繊維ウェブ積層体により形成されていること、
（２）ラッセル編により形成されていること、
（３）４００〜７００ｎｍの波長の光量子束密度を１００μｍｏｌｍ−２ｓ−１としたときの、前記青色光の光量子束透過量が３０〜９０μｍｏｌｍ−２ｓ−１であること、
が好ましい。
【０００９】
また、本発明によれば、４００〜５００ｎｍの波長の青色光を選択的に透過するネット状資材を、外張り被覆材の上に被せ、該外張り被覆材の内部でホウレンソウを栽培することを特徴とする、ホウレンソウの栽培方法が提供される。
【発明の効果】
【００１０】
本発明のネット状資材は、青色光を選択的に透過し、且つ、ビニールハウス等の外張り被覆材を覆うようにしてホウレンソウ栽培に使用される点に重要な特徴を有する。かかる特徴を有することにより、本発明のネット状資材を用いて栽培されたホウレンソウにおいては、徒長や抽苔等の生育不良が有効に防止され、さらに、ビタミンＡやビタミンＣ、カルシウム、鉄といった栄養分が豊富に含まれるとともに、硝酸濃度が低減されている。
【００１１】
本発明のネット状資材がこのような効果を発揮する理由は、次のように考えられている。即ち、以前より、青色光をホウレンソウに照射すると、徒長や抽苔が起こりにくくなることは知られていた（特許文献１参照）。しかし、本発明者等が鋭意研究を進めた結果、更には、青色光にはホウレンソウ中の栄養分を増加させ、且つ、硝酸濃度を低下させる作用もあることがわかった。加えて、ホウレンソウを直接ネット状資材で覆うのではなく、ビニールハウスにネット状資材をかぶせてホウレンソウを間接的に覆うと、ホウレンソウに均一に青色光が照射され、且つ、水や肥料も均一に与えられる。そのため、本発明のネット状資材を用いてホウレンソウを栽培すると、青色光のホウレンソウに対する効果が最大限に発揮される。一方、特許文献１のように、ホウレンソウを直接被覆資材で覆う場合には、光照射が不均一となったり、水や肥料が行きわたらない虞があるため、栄養分の増加や硝酸濃度の低下といった効果があらわれにくいものと推察される。
【図面の簡単な説明】
【００１２】
【図１】ラッセル編の一例を示す図である。
【図２】割繊維ウェブの一例を示す図である。
【図３】割繊維ウェブ積層体の一例を示す図である。
【図４】実験例１および２で用いられたネット状資材の透過光の波長特性を示す            グラフである。
【図５】実験例１および２で栽培されたホウレンソウ中の各栄養分の量を示すグ            ラフである。
【図６】実験例１および２で栽培されたホウレンソウ中の硝酸濃度を示すグラフ            である。
【図７】実験例１および２で栽培されたホウレンソウの草丈、葉枚数および葉面            積を示すグラフである。
【図８】実験例３における青色区および黒色区の配置を示す図である。
【図９】実験例３で栽培されたホウレンソウの草丈、葉枚数および葉面積を示す            グラフである。
【発明を実施するための形態】
【００１３】
＜ネット状資材＞
本発明は、ホウレンソウの栽培に利用されるネット状資材に関するものである。本発明において、「ネット状資材」とは、表面から裏面まで貫通した空隙を複数有する資材を意味する。かかる「ネット状資材」としては、編物や織物のように経糸と緯糸を編織したもの（編織体）や、樹脂フィルムにスリットを入れて割繊して得られる割繊維ウェブ（図２参照）、かかる割繊維ウェブを積層させて得られる割繊維ウェブ積層体（図３参照）を挙げることができる。編物としては、例えばラッセル編を挙げることができ（図１参照）、織物としては、例えば平織やカラミ織を挙げることができる。
【００１４】
図１に示されているように、ラッセル編１とは、モノフィラメントを鎖編み等により編み上げた鎖状フィラメント３の列の間に、テープヤーン５が緯糸として挿入された構造を有するものである。
【００１５】
図２に示されているように、割繊維ウェブ１０は、幹繊維１３と、幹繊維１３より細い枝繊維１５とからなり、具体的には、割繊維ウェブ１０は、互いに平行に延びた複数の幹繊維１３と、幹繊維１３に対して交差して延び、隣接する幹繊維１３同士をつなぐ枝繊維１５とで構成されている。
【００１６】
本発明のネット状資材は、従来公知の熱可塑性樹脂を用いて形成される。従来公知の熱可塑性樹脂としては、例えば、ポリプロピレン、ポリエチレン等のポリオレフィン樹脂、ポリエチレンテレフタレート等のポリエステル樹脂、ポリビニルアルコール、ポリ塩化ビニル、ポリスチレン、ポリアミド等を挙げることができる。
【００１７】
本発明のネット状資材は、ビニールハウス等の外張り被覆材に被せられて利用されるものであり、かかる外張り被覆資材の内部ではホウレンソウが栽培される。そのため、本発明のネット状資材はホウレンソウが十分に生育する程度の光線透過率を有する必要があり、具体的には、３０％以上の光線透過率を有することが好ましく、５０〜９０％の光線透過率を有することが特に好ましい。
尚、光線透過率は、公知の方法によって測定すればよく、例えば、ＰＰＦセンサー（Ｌｉ−Ｃｏｒ，  Ｉｎｃ．製ＬＩ−１９０）を用いて、快晴日の昼１１：００〜１２：００に測定を行うことにより確認できる。
【００１８】
本発明は、青色光を選択的に透過する青色光選択性を有する点に重要な特徴を有する。「青色光を選択的に透過する」とは、具体的には、光合成に利用される波長である４００〜７００ｎｍの波長の光量子束密度（透過前、太陽光）を１００μｍｏｌｍ−２ｓ−１としたときの、青色光（４００〜５００ｎｍ）の光量子束透過量が３０〜９０μｍｏｌｍ−２ｓ−１、好ましくは３５〜６５μｍｏｌｍ−２ｓ−１であることを意味する。青色光が弱すぎると、生育不良防止や栄養分の増加、硝酸量の低減といった青色光がホウレンソウの生育に与える効果が十分に発揮されない虞がある。一方、青色光が強すぎる場合は、必然的に他の波長の光が少なくなり、光合成や代謝がうまく行われず、その結果、青色光照射による効果よりも、他の波長の光が弱いことによる悪影響の方がホウレンソウに強く表れる虞がある。
【００１９】
各波長の光量子束透過量は、公知の方法に従って測定することができる。例えば、ネット状資材の下に波長別光エネルギー分析装置（ＭＳ−７２０、英弘精機（株））を設置し、快晴日の昼１１：００〜１２：００に透過光を測定することにより確認できる。太陽光の光量子束密度も同様の方法により測定することができる。
【００２０】
本発明に青色光選択性を付与するには、上記熱可塑性樹脂とともに公知の青色着色剤を使用してネット状資材を製造すればよい。公知の青色着色剤としては、例えば、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ、ピグメントバイオレット、キナクリドンレッド、キナクリドンクリムゾン、キナクリドンマゼンタ、ウルトラマリンブルー、アントラキノン系染料、インディゴ系染料を挙げることができる。
【００２１】
本発明のネット状資材の目付量は、光線透過率および青色光の光量子束透過量が前記範囲を満たすように決定されるが、一般的には２０〜９０ｇ／ｍ２であり、好適には４０〜８０ｇ／ｍ２である。
【００２２】
＜製造方法＞
本発明のネット状資材は、公知の方法に従って製造される。例えば、本発明のネット状資材が平織やカラミ織等の織物からなる場合は、上述の熱可塑性樹脂および青色着色剤を含む所望の組成のフィルムを準備し、かかるフィルムを長さ方向に適宜の幅で裁断又は溶断してテープヤーンとし、このテープヤーンを用いて製織すればよい。あるいは、かかるテープヤーンを緯糸にし、強度の強いモノフィラメント等を経糸にして製織すればよい。当然、モノフィラメントとしては、上述の熱可塑性樹脂や青色着色剤から得られたものを用いてよい。
【００２３】
また、本発明のネット状資材が割繊維ウェブからなる場合は、上述の熱可塑性樹脂および青色着色剤を含む所定の組成のフィルムを準備し、かかるフィルムを一軸延伸しながら割繊（スプリット）し、その後、高温熱処理により寸法固定化を行えばよい。この場合、幹繊維１３の太さを０．７〜０．９ｍｍとし、枝繊維１５の太さを０．１〜０．３ｍｍとすることが好ましい。更に、必要に応じて、得られた割繊維ウェブを複数枚、公知の方法に従って積層してもよい。
【００２４】
さらにまた、本発明のネット状資材がラッセル編等の編物からなる場合は、織物の場合と同様にしてテープヤーンを作製し、ラッセル編機などを用いて、図１に示すように、モノフィラメントを鎖編み等により編み上げた鎖状フィラメント３の列の間に、かかるテープヤーン５を緯糸として挿入すればよい。勿論、モノフィラメントとしては、上述の熱可塑性樹脂や青色着色剤から得られたものを用いてよい。
【００２５】
鎖状フィラメント３の太さは３００〜６００デニールとし、テープヤーン５の幅は２．２〜５ｍｍとし、テープヤーン５の厚みは２２〜５６μｍとすることが好ましい。鎖状フィラメント３が細すぎると、ネット状資材の強度が弱くなる虞がある。鎖状フィラメント３が太すぎると、ネット状資材が過度に重くなったり、ネット状資材の可撓性が失われる虞がある。テープヤーン５が太すぎるか、或いは厚すぎると、光合成に必要な日射量が確保できない虞がある。テープヤーン５が細すぎるか、或いは薄すぎると、青色光選択性を十分に発揮できない虞がある。
【００２６】
上記方法のうち、栽培状況等に合わせネット状資材の仕様を容易に変更出来るという観点から、本発明のネット状資材はラッセル編みにより形成されることが好ましい。即ち、ラッセル編みを採用すると、栽培環境に合わせて遮光率を変更したい場合に、製造設備を調整して網目の大きさを変更することにより、容易に遮光率の変更を行うことができ、また、編み上がったラッセル編みは、設置するビニールハウスの大きさに合わせる為、縫製加工等を行うことにより、容易に寸法を変更することが可能になる。
【００２７】
また、本発明のネット状資材の強度を特に高めたい場合には、割繊維ウェブや割繊維ウェブ積層体により形成することが好ましい。割繊維ウェブは、釘のような鋭利なものや展張時の固定具が引っかかる等して孔が形成されても、かかる孔を起点にしての伝播が起こりにくく、伝線切れ防止性に優れているからである。更に、割繊維ウェブは、経糸と緯糸とから構成される編物や織物に比べて軽量であり、また、柔軟性の点でも優れている。
【００２８】
本発明のネット状資材をいずれの方法により製造する場合においても、青色着色剤の添加量は、最終的に得られるネット状資材において青色光（４００〜５００ｎｍ）の光量子束透過量が、光合成に利用される波長である４００〜７００ｎｍの波長の光量子束密度を１００μｍｏｌｍ−２ｓ−１としたときに、３０〜９０μｍｏｌｍ−２ｓ−１、好ましくは３５〜６５μｍｏｌｍ−２ｓ−１の範囲となるように決定される。一般的に、ネット状資材を構成する樹脂組成物１００質量部あたり０．９〜２５質量部が配合される。
【００２９】
更に、本発明のネット状資材を製造するにあたっては、必要に応じて公知の添加剤を有してもよい。公知の添加剤としては、例えば、酸化防止剤、紫外線吸収剤、光安定剤、熱安定剤、抗菌剤、防黴剤、帯電防止剤、無機充填剤、繊維強化材などを挙げることができる。
【００３０】
＜栽培方法＞
上記のようにして製造された本発明のネット状資材は、必要な大きさに裁断・縫製されてホウレンソウ栽培に利用される。具体的には、本発明のネット状資材は、ホウレンソウを外界から遮断して保護・育成する外張り被覆材の上に展張され、かかる外張り被覆材の内側でホウレンソウが栽培される。外張り被覆材としては、例えば、ビニール・ＰＯハウス、雨除け施設、トンネル、促成フレーム、育苗用フレームが挙げられる。
【００３１】
本発明は、必要に応じて適宜の時期に使用すればよいが、本発明の効果が最大限に発揮されるという観点から、播種〜収穫まで連続して使用することが好ましい。
【００３２】
本発明は、ホウレンソウであればあらゆる品種に適用することができ、具体的には、トリトン等の春作品種、ミラージュ等の夏作品種、アクティブ等の秋作品種のいずれにも好適に使用することができる。本発明の効果が最大限に発揮されるという観点から、高温・多日射により生育不良が起こりやすい夏作品種に適用することが特に好ましい。
【実施例】
【００３３】
本発明を以下の実験例により更に説明するが、本発明は、これらの実験例によってなんら限定されるものではない。下記実験例において、各種測定は以下に示す方法に従って行われた。
【００３４】
（実験例１）
ネット状資材として、ポリエチレン製青色ラッセルネットを用意した。かかるネット状資材は、図１に示されている構造を有しており、青色フラットヤーンと黒色モノフィラメントにより形成される。
【００３５】
かかるネット状資材を埼玉県三郷市（北緯３５．８°、東経１３９．９°）に設置し、ＰＰＦセンサー（Ｌｉ−Ｃｏｒ，  Ｉｎｃ．製ＬＩ−１９０）を用いて、２０１２年７月快晴日の昼１１：００〜１２：００にネット状資材の光線透過率を測定した。光線透過率は、５１．６％であった。
【００３６】
波長別光エネルギー分析装置（ＭＳ−７２０、英弘精機（株））を用いて、２０１２年７月快晴日の昼１１：００〜１２：００に太陽光およびネット状資材透過光を測定した（図４参照）。光量子束密度（４００〜７００ｎｍ）を１００μｍｏｌｍ−２ｓ−１としたときの青色光（４００〜５００ｎｍ）の光量子束透過量は、３９．４μｍｏｌｍ−２ｓ−１であった。
【００３７】
埼玉県三郷市に南北方向のビニルハウス（間口３ｍ、奥行２０ｍ、高さ２ｍ）を設置し、２０１２年７月１３日に、かかるビニールハウス内に夏作品種アクティブ（（株）サカタのタネ、雑種Ｆ１品種）を播種した。播種と同日に上記ネット状資材を展張した。２０１２年８月２９日に栽培終了とし、株のサンプリングを行った。
【００３８】
（実験例２）
ネット状資材として、黒色フラットヤーンと黒色モノフィラメントによるカラミ織りで形成されポリエチレン製黒色ネット（ダイオ化成株式会社製）を用いた点、および、栽培終了を２０１２年８月２３日とした点以外は、実験例１と同様にして、各種測定を行い、ホウレンソウを栽培した。尚、実験例２で用いられた黒色ネットの透過光の波長特性は、太陽光の波長特性とよく似ていた（図４参照）。光線透過率は５０．７％であり、光量子束密度（４００〜７００ｎｍ）を１００μｍｏｌｍ−２ｓ−１としたときの青色光（４００〜５００ｎｍ）の光量子束透過量は、２９．６μｍｏｌｍ−２ｓ−１であった。
【００３９】
（栄養分の測定）
実験例１および２で得られたサンプルについて、アスコルビン酸濃度、β−カロテン濃度、カルシウム濃度および鉄濃度を測定し、平均値（ｎ＝６）を算出した。各栄養分の測定方法は、以下の通りとした。測定結果は、図５に示した。
【００４０】
アスコルビン酸；
生体重０．３〜０．５ｇをサンプルとし、サンプルの重さの３〜４倍量の５％メタリン酸溶液を加え、乳鉢で磨砕抽出した。抽出物を２ｍｌマイクロチューブにとり、１５，０００ｒｐｍ、４℃の条件下で遠心分離機（ＭＸ−３０５、トミー工業（株））で５分間遠心分離を行った。その後、その上澄み液にリフレクトクァント試験紙（１．１６９８１．０００１、メルク（株））を浸し、それをリフレクトクァント用反射式光度計（ＲＱフレックスＰｌｕｓ、メルク社）で測定した。
【００４１】
β−カロテン；
Ｇｉｌｍｏｒｅ  ａｎｄ  Ｙａｍａｍｏｔｏ（１９９１）の測定方法に準拠し、サンプルの葉身には６ｍｌ、葉柄には１．５〜３ｍｌのピロガロール／アセトン溶液（１／５０（ｗ／ｖ））を加え、乳鉢および乳棒で磨砕抽出した抽出物を半日間４℃の条件で静置した。その後、抽出物を室温下３０００ｒｐｍで遠心分離し、上清を採取した。試験管に残存した試料にピロガロール／アセトン溶液を０．５〜１．０ｍｌ添加し、これを撹拌し、１時間程度４℃で静置した後再び同条件下で遠心分離を行った。葉身は６〜７ｍｌ、葉柄は２〜３ｍｌとなるまで、上清を先のサンプル抽出液と混合した。得られたサンプル液を０．２０μｍのＰＴＦＥフィルタでろ過した後、ＨＰＬＣ（ＬＣ−２０１０ＨＴ、（株）島津製作所）を用いて分析した。β−カロテンが光により分解されることを防ぐため、試料調整は暗所で行った。溶離液はメタノール：ヘキサン＝５：１（ＨＰＬＣ用、和光純薬工業（株））とし、調整後、メンブレンフィルタ０．２０μｍでろ過し、超音波洗浄機で５分間脱気したものを用いた。カラムはＩｎｔｅｒｔｓｉｌ  ＯＳＤ−２（粒子径５μｍ、４．６×２５０ｍｍ、ＧＬサイエンス）を用いた。カラム温度は３０℃、流速は１．５ｍｌ／ｍｉｎとし、検出波長は４４０ｎｍとした。検量線の作成には、β−カロテン標準品高速液体クロマトグラフィ用（Ｓｉｇｍａ−Ａｌｄｒｉｃｈ  ＣＯ．ＬＴＤ）を用い、クロロフォルムで適宜希釈を行った。分析は、検量線、サンプル、メタノール（流速１．５ｍｌ／ｍｉｎ）による洗浄、サンプル反復、検量線の順で行った。
【００４２】
カルシウム、鉄；
サンプルを、恒温乾燥機を用いて８０℃で７２時間以上乾燥させた後、マルチビーズショッカー（安井機械（株））で破砕した。葉身は約０．７ｇ、葉柄は０．３〜０．５ｇの量で磁器製の灰化容器に入れ、電気炉（ＭＦ−５５，ＩＫＥＤＡ  ＳＣＨＩＥＮＴＩＦＩＣ  ＣＯ．  ＬＴＤ）で１２時間６００℃の条件で加熱・灰化した。灰化物を放冷したのち、２０％塩酸５ｍｌを加えて灰を溶解し、５Ａ（０．０２ｍｍ）の濾紙でろ過した後、１％塩酸を加えて５０ｍｌに定容し、分析試料とした。分析は、原子吸光光度計（ＡＡ―６２００、島津製作所（株））で行った。鉄の検量線の作成には、鉄標準液（和光純薬工業（株））を用い、１０００ｐｐｍの塩化ストロンチウム溶液で適宜希釈を行った。Ｃａの検量線の作成には、カルシウム標準液（和光純薬工業（株））を用い、１０００ｐｐｍの塩化ストロンチウム溶液で適宜希釈を行った。分析は、検量線、サンプルの順で行った。インジェクションノズルの洗浄のため、各サンプルを測定毎に５秒間イオン交換水で流した。
【００４３】
（硝酸濃度の測定）
実験例１および２で得られたサンプルについて、葉身および葉柄のそれぞれについて硝酸濃度を測定した。具体的には、生体重０．３〜０．５ｇのサンプルに葉身ではサンプルの重さの１０〜１２倍量、葉柄では２０倍量の蒸留水を加え、乳鉢で磨砕抽出した。抽出物を１５ｍｌのコニカルチューブに採取し、３０００ｒｐｍ室温の条件下で遠心分離機（ＣＴ６Ｄ、日立工機（株））で５分間遠心分離を行った。その後、その上澄み液にリフレクトクァント試験紙（１．１６９８１．０００１、メルク（株））を浸し、それをリフレクトクァント用反射式光度計（ＲＱフレックスＰｌｕｓ、メルク社）で測定した。測定結果は、図６に示した。
【００４４】
（生育状況の確認）
実験例１および２で栽培されたホウレンソウについて、地上部から最大葉の先端までの長さを測定し、草丈とした（ｎ＝６）。また、葉長（葉の基部から先端までの長さ）が５ｃｍ以上の葉の枚数を計測した。さらにまた、実験例１および２で得られた各サンプルを、葉身部と葉柄部とに分け、葉身部のみの面積を卓上型高速用面積計（Ｌｉ−ＣＯＲ−Ｉｎｃ．製、ＬＩ−３１００Ｃ）で測定した（ｎ＝６）。結果は図７に示した。図７から理解されるように、青色光の多い環境下で栽培された実験例１のホウレンソウは、草丈が低く、葉が生い茂っており、一方、実験例２のホウレンソウは、草丈が高く葉枚数・葉面積ともに少なかった。
【００４５】
（実験例３）
本発明のネット状資材（以下、青色区と呼ぶことがある。）として、ポリエチレン製青色ラッセルネットを用意した。また、透過光の波長特性が太陽光と似ている黒色ネット状資材（以下、黒色区と呼ぶことがある。）として、黒色フラットヤーンと黒色モノフィラメントによるカラミ織りで形成されポリエチレン製黒色ネット（ダイオ化成株式会社製）を用意した。実験例１と同様にして、２０１３年８月の快晴日において、各ネット状資材の光線透過率を測定したところ、いずれも約５０％であった。実験例１と同様にして、２０１３年８月の快晴日において、光量子束密度（４００〜７００ｎｍ）を１００μｍｏｌｍ−２ｓ−１としたときの青色光（４００〜５００ｎｍ）の光量子束透過量を測定・算出したところ、青色区で３９．４μｍｏｌｍ−２ｓ−１、黒色区で２９．６μｍｏｌｍ−２ｓ−１であった。
【００４６】
埼玉県三郷市に３棟のビニールハウス（間口３ｍ、奥行２０ｍ、高さ２ｍ）を設置し、図８の配置で青色区と黒色区を設け、２０１３年８月にホウレンソウの栽培を行った。尚、青１〜青４は、青色区の位置を示しており、黒１〜黒４は、黒色区の位置を示している。実験例１および２と同様にして、青１〜青４および黒１〜黒４の区域で生育したホウレンソウの草丈、葉の枚数および葉の面積を測定し、平均値を算出した。結果は図９に示した。青色区は黒色区よりも草丈が低く、葉が多く、葉の面積が大きかった。また、黒色区のホウレンソウは、青色区に比べて葉の色が薄く、やや徒長していることが観察された。
【符号の説明】
【００４７】
１    ラッセル編
３    鎖状フィラメント
５    テープヤーン
１０  割繊維ウェブ
１３  幹繊維
１５  枝繊維
【図１】
0006609147.tif 000002
【図２】
0006609147.tif 000003
【図３】
0006609147.tif 000004
【図４】
0006609147.tif 000005
【図５】
0006609147.tif 000006
【図６】
0006609147.tif 000007
【図７】
0006609147.tif 000008
【図８】
0006609147.tif 000009
【図９】
0006609147.tif 000010